(57)【特許請求の範囲】
【請求項１】
複数の画データａ｛ｉ｝を倍率ｍ／ｎで変倍した複数の画データｂ｛ｊ｝を生成する画像変倍方法において、加重ｗ＝ｎ×ｊ（mod ｍ）を求めるステップと、前記画データｂ｛ｊ｝をｂ｛ｊ｝＝〔（ｍ−ｗ）×ａ｛ｉ｝＋ｗ×ａ｛ｉ＋１｝〕／ｍに従って求めるステップとを、ｊを１ずつ歩進しながら繰り返すこととし、ｊ番目の前記ｗ＝ｎ×ｊ（mod ｍ）を求めるステップは、ｊ−１番目のｗにｎを加算した値がｍ未満であるか否かを判断する第１ステップと、ｍ未満でない場合にｊ−１番目のｗにｎを加算した値からｍを減算する第２ステップと、ｉを１だけ歩進する第３ステップとを有することを特徴とする画像変倍方法。
【請求項２】
複数の画データａ｛ｉ｝を倍率ｍ／ｎで変倍した複数の画データｂ｛ｊ｝を生成する画像変倍方法において、加重ｗ＝ｎ×ｊ（mod ｍ）を求めるステップと、前記画データｂ｛ｊ｝をｂ｛ｊ｝＝〔（ｍ−ｗ）×ａ｛ｉ｝＋ｗ×ａ｛ｉ＋１｝〕／ｍに従って求めるステップとを、ｊを１ずつ歩進しながら繰り返すこととし、前記ｗ＝ｎ×ｊ（mod ｍ）を求めるステップは、ｗ＋ｎ＜ｍを満たすか否かを判断する第１ステップと、ｗ＋ｎ＜ｍを満たさない場合にｗ＋ｎ−ｍを求める第２ステップと、ｉを１だけ歩進する第３ステップとを有することを特徴とする画像変倍方法。
【請求項３】
画データａ｛ｉ＋１｝が存在するか否かを判断するステップと、画データａ｛ｉ＋１｝が存在しない場合にａ｛ｉ｝＝ｂ｛ｊ｝として前記画データｂ｛ｊ｝を求めるステップとを有する請求項１または２記載の画像変倍方法。
【請求項４】
複数の画データａ｛ｉ｝を倍率ｍ／ｎで変倍した複数の画データｂ｛ｊ｝を生成する画像変倍方法において、加重ｗ＝ｎ×ｊ（mod ｍ）を求めるステップと、前記画データｂ｛ｊ｝をｂ｛ｊ｝＝〔（ｍ−ｗ）×ａ｛ｉ｝＋ｗ×ａ｛ｉ＋１｝〕／ｍに従って求めるステップとを、ｊを１ずつ歩進しながら繰り返すこととし、画データａ｛ｉ＋１｝が存在するか否かを判断するステップと、画データａ｛ｉ＋１｝が存在しない場合にａ｛ｉ｝＝ｂ｛ｊ｝として前記画データｂ｛ｊ｝を求めるステップとを有することを特徴とする画像変倍方法。
【発明の詳細な説明】
【０００１】
【発明の属する技術分野】
本発明は、元の画データを拡大・縮小して新たな画データを生成する画像変倍方法に関する。
【０００２】
【従来の技術】
例えば複写機において、読み取った原稿の画像を拡大または縮小して記録紙上に記録する際には、読み取った元の画データから変倍率に応じた記録用の新たな画データを生成する必要がある。このような画データの拡大・縮小の方法として、単純水増し・間引き法，加重平均法などがある。
【０００３】
この単純水増し・間引き法では、元の画データを必要な部分に単に補って拡大された画データを生成し、また、元の画データから必要な部分を単に間引いて縮小された画データを生成する。この方法では、回路構成は簡素化できるが、ブロック歪みが生じて、拡大・縮小処理後の画質が極めて劣化するという問題がある。
【０００４】
加重平均法では、生成すべき画データの近傍にある複数の元の画データの加重平均を求め、求めた画データを拡大・縮小処理後の新たな画データとする。この加重平均法は、単純水増し・間引き法と比べて回路規模は大きくなるが、拡大・縮小処理後の画データの精度は高くなって高画質の画像を得ることができる。
【０００５】
【発明が解決しようとする課題】
このような加重平均法では、より良い画質が得られるように、加重平均処理における各画データの重み付けの工夫、また、この加重平均処理を逐次的に行う煩雑さを解消するために、テーブルデータの利用などが行われている。しかしながら、従来の加重平均法にあっては、変倍率が任意の１％刻みで多種の変倍率に対応する場合、テーブルを作成する手間が多くかかり、また、テーブルデータを格納するための多くのメモリを必要とするという問題がある。
【０００６】
本発明は斯かる事情に鑑みてなされたものであり、元の画データを変倍した画データを加重平均法にて生成する際に、設定される任意の変倍率に対応でき、加重平均処理も簡単な手法で行える画像変倍方法を提供することを目的とする。
【０００７】
【課題を解決するための手段】
請求項１に係る画像変倍方法は、複数の画データａ｛ｉ｝を倍率ｍ／ｎで変倍した複数の画データｂ｛ｊ｝を生成する画像変倍方法において、加重ｗ＝ｎ×ｊ（mod ｍ）を求めるステップと、前記画データｂ｛ｊ｝をｂ｛ｊ｝＝〔（ｍ−ｗ）×ａ｛ｉ｝＋ｗ×ａ｛ｉ＋１｝〕／ｍに従って求めるステップとを、ｊを１ずつ歩進しながら繰り返すこととし、ｊ番目の前記ｗ＝ｎ×ｊ（mod ｍ）を求めるステップは、ｊ−１番目のｗにｎを加算した値がｍ未満であるか否かを判断する第１ステップと、ｍ未満でない場合にｊ−１番目のｗにｎを加算した値からｍを減算する第２ステップと、ｉを１だけ歩進する第３ステップとを有することを特徴とする。
【０００８】
請求項２に係る画像変倍方法は、複数の画データａ｛ｉ｝を倍率ｍ／ｎで変倍した複数の画データｂ｛ｊ｝を生成する画像変倍方法において、加重ｗ＝ｎ×ｊ（mod ｍ）を求めるステップと、前記画データｂ｛ｊ｝をｂ｛ｊ｝＝〔（ｍ−ｗ）×ａ｛ｉ｝＋ｗ×ａ｛ｉ＋１｝〕／ｍに従って求めるステップとを、ｊを１ずつ歩進しながら繰り返すこととし、前記ｗ＝ｎ×ｊ（mod ｍ）を求めるステップは、ｗ＋ｎ＜ｍを満たすか否かを判断する第１ステップと、ｗ＋ｎ＜ｍを満たさない場合にｗ＋ｎ−ｍを求める第２ステップと、ｉを１だけ歩進する第３ステップとを有することを特徴とする。
【０００９】
請求項３に係る画像変倍方法は、請求項１または２において、画データａ｛ｉ＋１｝が存在するか否かを判断するステップと、画データａ｛ｉ＋１｝が存在しない場合にａ｛ｉ｝＝ｂ｛ｊ｝として前記画データｂ｛ｊ｝を求めるステップとを有することを特徴とする。
【００１０】
請求項４に係る画像変倍方法は、複数の画データａ｛ｉ｝を倍率ｍ／ｎで変倍した複数の画データｂ｛ｊ｝を生成する画像変倍方法において、加重ｗ＝ｎ×ｊ（mod ｍ）を求めるステップと、前記画データｂ｛ｊ｝をｂ｛ｊ｝＝〔（ｍ−ｗ）×ａ｛ｉ｝＋ｗ×ａ｛ｉ＋１｝〕／ｍに従って求めるステップとを、ｊを１ずつ歩進しながら繰り返すこととし、画データａ｛ｉ＋１｝が存在するか否かを判断するステップと、画データａ｛ｉ＋１｝が存在しない場合にａ｛ｉ｝＝ｂ｛ｊ｝として前記画データｂ｛ｊ｝を求めるステップとを有することを特徴とする。
【００１１】
本発明の画像変倍方法にあっては、変倍率ｍ／ｎにて元の複数の画データａ｛ｉ｝を新たな複数の画データｂ｛ｊ｝に変換する際に、ｊを１ずつ歩進しながら、ｗ＝ｎ×ｊ（mod ｍ）を求め、ｂ｛ｊ｝＝〔（ｍ−ｗ）×ａ｛ｉ｝＋ｗ×ａ｛ｉ＋１｝〕／ｍとして新たな画データｂ｛ｊ｝を求めることを繰り返す。よって、任意のｍ，ｎの設定において、即ち任意の変倍率に応じて、元の画データａ｛ｉ｝から新たな画データｂ｛ｊ｝が、簡単な加重平均処理にて容易に生成される。
【００１２】
本発明の画像変倍方法にあっては、ｗ＜ｍを満たすか否かを判断し、満たさない場合にｗ−ｍを求めると共にｉを１だけ歩進することにより、ｗ＝ｎ×ｊ（mod ｍ）を求めるか、または、ｗ＋ｎ＜ｍを満たすか否かを判断し、満たさない場合にｗ＋ｎ−ｍを求めると共にｉを１だけ歩進することにより、ｗ＝ｎ×ｊ（mod ｍ）を求める。よって、各ｉにおけるｗ＝ｎ×ｊ（mod ｍ）が極めて容易に求められる。
【００１３】
本発明の画像変倍方法にあっては、次の画データａ｛ｉ＋１｝が存在しない場合に、ａ｛ｉ｝＝ｂ｛ｊ｝として新たな画データｂ｛ｊ｝を求める。よって、次の元の画データがない場合においても、新たな画データが最後まで求められる。
【００１４】
【発明の実施の形態】
以下、本発明をその実施の形態を示す図面を参照して具体的に説明する。
図１は、本発明の画像変倍方法を適用した画像形成装置の構成を示すブロック図である。この画像形成装置は、主制御部１，読取部２，画像メモリ３，記録部４，操作部５，ＲＯＭ６，ＲＡＭ７等を備えている。
【００１５】
主制御部１は、具体的にはＣＰＵで構成されており、バス１０を介して画像形成装置の上述したようなハードウェア各部と接続されていて、それらを制御すると共に、ＲＯＭ６に格納されたコンピュータプログラムに従って、本発明の画像変倍方法を含む種々のソフトウェア的機能を実行する。
【００１６】
読取部２は、例えばＣＣＤを利用したスキャナから構成され、図示しない原稿台に載置された原稿の画データを読み取って出力する。画像メモリ３は、ＤＲＡＭ等で構成され、読取部２で読み取られた元の画データを一時的に記憶する。記録部４は、電子写真方式のプリンタ装置であって、画像メモリ３から読み出された元の画データから変倍率に応じて生成されるた新たな画データをハードコピーとしてプリントアウトする。なお、元の画データから変倍率に応じた新たな画データの生成は、後述する動作手順に従って、主制御部１が行う。
【００１７】
操作部５は、所望の変倍率を設定入力するための変倍率キー５ａ，複写動作を開始させるための開始キー等、この画像形成装置を操作するために必要な各種のファンクションキーを備えている。ＲＯＭ６は、この画像形成装置の動作に必要な種々のソフトウェアのプログラムを予め格納している。ＲＡＭ７は、ＳＲＡＭまたはフラッシュメモリ等で構成され、各種情報を一時的に記憶する。
【００１８】
任意の変倍率ｍ／ｎ（ｍ，ｎ：自然数，ｍ＞ｎの場合は拡大率，ｍ＜ｎの場合は縮小率）での画データの拡大・縮小を行える本発明の変倍方法の動作について説明する。なお、このようなｍ，ｎは、操作部５の変倍率キー５ａから入力された変倍率に基づいて設定される。例えば、１２５％と入力された場合には、１．２５＝５／４であり、ｍ＝５，ｎ＝４と主制御部１が設定する。
【００１９】
図２は、本発明による画像変倍方法の動作手順の一例を示すフローチャートである。なお、以下では、元の画データをａ｛ｉ｝（元の画データの数をｓとした場合にｉは０≦ｉ＜ｓを満たす整数）、変倍後の新たな画データをｂ｛ｊ｝（新たな画データの数をｔとした場合にｊは０≦ｊ＜ｔを満たす整数）とする。また、ｂ′｛ｊ｝及びｂ″｛ｊ｝を、新たな画データｂ｛ｊ｝を求めるための中間画データとする。ｔは、ｓ×（ｍ／ｎ）の小数点以下を切り上げた値と等しくなる。
【００２０】
まず、主制御部１は、加重ｗを０に設定すると共にｉ，ｊを何れも０に初期化する（ステップＳ１）。主制御部１は、ｗとｍとを比較する（ステップＳ２）。ｗ＜ｍである場合（Ｓ２：ＹＥＳ）に、主制御部１は、ｂ′｛ｊ｝＝（ｍ−ｗ）×ａ｛ｉ｝により中間画データｂ′｛ｊ｝を求め（ステップＳ３）、また、ｂ″｛ｊ｝＝ｗ×ａ｛ｉ＋１｝により中間画データｂ″｛ｊ｝を求める（ステップＳ４）。そして、主制御部１は、両中間画データｂ″｛ｊ｝，ｂ′｛ｊ｝を加算し、その加算結果をｍで割って画データｂ｛ｊ｝を求める（ステップＳ５）。即ち、新たな画データｂ｛ｊ｝は、下記の式（１）のように求められる。
0003603729.tif 000002
【００２１】
次いで、主制御部１は、ｊを１だけ歩進させ（ステップＳ６）、ｗにｎを加算したものを新たな加重ｗに設定する（ステップＳ７）。その後、処理はＳ２に戻る。
【００２２】
ｗ≧ｍである場合に（Ｓ２：ＮＯ）、主制御部１は、ｗからｍを減算したものを新たな加重ｗに設定し（ステップＳ８）、ｉを１だけ歩進させた（ステップＳ９）後に、画データａ｛ｉ＋１｝が存在するか否かを判断する（ステップＳ１０）。ａ｛ｉ＋１｝が存在する場合（Ｓ１０：ＹＥＳ）に、処理はＳ２に戻る。
【００２３】
ａ｛ｉ＋１｝が存在しない場合（Ｓ１０：ＮＯ）、主制御部１は、ｂ｛ｊ｝＝ａ｛ｉ｝として、新たな画データｂ｛ｊ｝を求める（ステップＳ１１）。次いで、主制御部１は、ｊを１だけ歩進させ（ステップＳ１２）、ｗにｎを加算したものを新たな加重ｗに設定した（ステップＳ１３）後に、ｗ＜ｍであるか否かを判断する（ステップＳ１４）。ｗ＜ｍである場合（Ｓ１４：ＹＥＳ）に、処理はＳ１１に戻り、ｗ≧ｍである場合（Ｓ１４：ＮＯ）、処理全体が終了する。
【００２４】
なお、ｔを、ｓ×（ｍ／ｎ）の小数点以下を切り捨てた値と等しくなるようにした場合には、上述したフローチャートにおいて、Ｓ１４での判断を「ｗ＜ｍ−ｎ？  」とすることになる。この場合、フローチャートの他の処理については切り上げたときと同じである。
【００２５】
次に、ｍ＝２３，ｎ＝７とした具体例（２３／７倍の拡大例）について説明する。図３は、この具体例における元の画データａ｛ｉ｝と変倍後の新たな画データｂ｛ｊ｝との関係を示す図である。
【００２６】
まず、最初はｗ＝０であるので、ｂ′｛０｝＝（２３−０）×ａ｛０｝，ｂ″｛０｝＝０×ａ｛１｝が夫々求められ（Ｓ３，Ｓ４）、式（１）に従って、画データｂ｛０｝がｂ｛０｝＝（２３×ａ｛０｝＋０×ａ｛１｝）／２３として求められる（Ｓ５）。
【００２７】
次いで、ｊ＝１となり（Ｓ６）、ｗ＝７となる（Ｓ７）。ｗ＜ｍ（７＜２３）である（Ｓ２：ＹＥＳ）ので、ｂ′｛１｝＝（２３−７）×ａ｛０｝，ｂ″｛１｝＝７×ａ｛１｝が夫々求められ（Ｓ３，Ｓ４）、式（１）に従って、画データｂ｛１｝がｂ｛１｝＝（１６×ａ｛０｝＋７×ａ｛１｝）／２３として求められる（Ｓ５）。
【００２８】
次いで、ｊ＝２となり（Ｓ６）、ｗ＝１４となる（Ｓ７）が、まだｗ＜ｍ（１４＜２３）である（Ｓ２：ＹＥＳ）ので、ｂ′｛２｝＝（２３−１４）×ａ｛０｝，ｂ″｛２｝＝１４×ａ｛１｝が夫々求められ（Ｓ３，Ｓ４）、式（１）に従って、画データｂ｛２｝がｂ｛２｝＝（９×ａ｛０｝＋１４×ａ｛１｝）／２３として求められる（Ｓ５）。同様に、ｊ＝３，ｗ＝２１となった場合には、画データｂ｛３｝がｂ｛３｝＝（２×ａ｛０｝＋２１×ａ｛１｝）／２３として求められる。
【００２９】
そして、ｊ＝４となり（Ｓ６）、ｗ＝２８となると（Ｓ７）、ｗ≧ｍ（２８≧２３）となる（Ｓ２：ＮＯ）ので、処理がＳ８に進む。ｗ＝２８−２３＝５と設定され（Ｓ８）、ｉ＝１となる（Ｓ９）。ａ｛２｝は存在する（Ｓ１０：ＹＥＳ）ので、処理がＳ２に戻る。ｗ＜ｍ（５＜２３）である（Ｓ２：ＹＥＳ）ので、ｂ′｛４｝＝（２３−５）×ａ｛１｝，ｂ″｛４｝＝５×ａ｛２｝が夫々求められ（Ｓ３，Ｓ４）、式（１）に従って、画データｂ｛４｝がｂ｛４｝＝（１８×ａ｛１｝＋５×ａ｛２｝）／２３として求められる（Ｓ５）。
【００３０】
以下、同様にして、ｂ｛５｝，ｂ｛６｝，…が求められる。この際、例えばｊ＝２３になった場合（Ｓ６）にはｗ＝２３になり（Ｓ７）、ｗが０（＝２３−２３）に設定される（Ｓ８）ので、画データｂ｛２３｝がｂ｛２３｝＝（２３×ａ｛７｝＋０×ａ｛８｝／２３として求められる（Ｓ５）。
【００３１】
その後、処理が進んで、ｉがｓ−１に達した場合（Ｓ９）、次の画データａ｛ｓ｝は存在しない（Ｓ１０：ＮＯ）ので、処理がＳ１１に進む。例えば、ｓ＝７の場合、ｉ＝６，ｗ＝２となっているので、ｗ＝２３となって全体の処理が終了する（Ｓ１４：ＮＯ）まで、Ｓ１１，Ｓ１２及びＳ１３の処理が３回行われる。よって、ｂ｛ｔ−３｝＝ａ｛ｓ−１｝，ｂ｛ｔ−２｝＝ａ｛ｓ−１｝，ｂ｛ｔ−１｝＝ａ｛ｓ−１｝として、各画データｂ｛ｔ−３｝，ｂ｛ｔ−２｝，ｂ｛ｔ−１｝が求められる（Ｓ１１）。図４に、最後の部分における元の画データａ｛ｉ｝と変倍後の新たな画データｂ｛ｊ｝との関係を示す。
【００３２】
図５，図６は、本発明による画像変倍方法の動作手順の他の例を示すフローチャートである。まず、主制御部１は、加重ｗを０に設定すると共にｉ，ｊを何れも０に初期化する（ステップＳ２１）。主制御部１は、ｗ＋ｎとｍとを比較する（ステップＳ２２）。ｗ＋ｎ＜ｍである場合（Ｓ２２：ＹＥＳ）に、主制御部１は、ｂ′｛ｊ｝＝（ｍ−ｗ）×ａ｛ｉ｝により中間画データｂ′｛ｊ｝を求め（ステップＳ２３）、また、ｂ″｛ｊ｝＝ｗ×ａ｛ｉ＋１｝により中間画データｂ″｛ｊ｝を求める（ステップＳ２４）。そして、主制御部１は、両中間画データｂ″｛ｊ｝，ｂ′｛ｊ｝を加算し、その加算結果をｍで割って上記の式（１）のように画データｂ｛ｊ｝を求める（ステップＳ２５）。
【００３３】
次いで、主制御部１は、ｊを１だけ歩進させ（ステップＳ２６）、ｗにｎを加算したものを新たな加重ｗに設定する（ステップＳ２７）。その後、処理はＳ２２に戻る。
【００３４】
ｗ＋ｎ≧ｍである場合に（Ｓ２２：ＮＯ）、主制御部１は、Ｓ２３，Ｓ２４，Ｓ２５と同様に、ｂ′｛ｊ｝，ｂ″｛ｊ｝，ｂ｛ｊ｝を順次求める（ステップＳ２８，Ｓ２９，Ｓ３０）。主制御部１は、ｊを１だけ歩進させ（ステップＳ３１）、ｗにｎを加算してｍを減算したものを新たな加重ｗに設定し（ステップＳ３２）、ｉを１だけ歩進させた（ステップＳ３３）後に、画データａ｛ｉ＋１｝が存在するか否かを判断する（ステップＳ３４）。ａ｛ｉ＋１｝が存在する場合（Ｓ３４：ＹＥＳ）に、処理はＳ２２に戻る。
【００３５】
ａ｛ｉ＋１｝が存在しない場合（Ｓ３４：ＮＯ）、主制御部１は、ｂ｛ｊ｝＝ａ｛ｉ｝として、新たな画データｂ｛ｊ｝を求める（ステップＳ３５）。次いで、主制御部１は、ｊを１だけ歩進させ（ステップＳ３６）、ｗにｎを加算したものを新たな加重ｗに設定した（ステップＳ３７）後に、ｗ＜ｍであるか否かを判断する（ステップＳ３８）。ｗ＜ｍである場合（Ｓ３８：ＹＥＳ）に、処理はＳ３５に戻り、ｗ≧ｍである場合（Ｓ３８：ＮＯ）、処理全体が終了する。
【００３６】
以上のようにして、本発明では、任意の変倍率ｍ／ｎにおいて、ｍ，ｎの加減算による重みを用いて加重平均処理を容易に行うことができる。本発明では、加重平均により変倍後の新たな画データを生成するようにしているので、単純水増し・間引き法のように、ブロック歪みが生じて、変倍後の画質が劣化することがないことは言うまでもない。
【００３７】
なお、本発明では，元の二つの画データａ｛ｉ｝，ａ｛ｉ＋１｝を用いて、変倍後の画データｂ｛ｊ｝を求めるようにしているので、拡大の場合には任意の拡大倍率に適応でき、縮小の場合には１／２倍以上の任意の縮小倍率に適応できる。
【００３８】
また、ある倍率が設定される度に、その設定倍率に応じて本発明の方法に従ってテーブルを作成し、そのテーブルを参照してその設定倍率に基づく新たな画データを得ることが可能である。そして、新たに別の倍率が設定された場合にはそのテーブルはリセットする。このようにすることにより、大きな容量のメモリを設けることなく、高速に画データの生成を行える。
【００３９】
【発明の効果】
以上のように本発明では、変倍率ｍ／ｎにて元の画データａ｛ｉ｝を新たな画データｂ｛ｊ｝に変換する際に、ｊを１ずつ歩進しながら、ｗ＝ｎ×ｊ（ｍｏｄ  ｍ）を求め、ｂ｛ｊ｝＝〔（ｍ−ｗ）×ａ｛ｉ｝＋ｗ×ａ｛ｉ＋１｝〕／ｍとして新たな画データｂ｛ｊ｝を求めることを繰り返すようにしたので、任意の変倍率に応じて、元の画データａ｛ｉ｝から新たな画データｂ｛ｊ｝を、簡単な加重平均処理の手法にて容易に生成することができる。
【００４０】
また本発明では、ｗ＜ｍを満たすか否かを判断し、満たさない場合にｗ−ｍを求めると共にｉを１だけ歩進することにより、または、ｗ＋ｎ＜ｍを満たすか否かを判断し、満たさない場合にｗ＋ｎ−ｍを求めると共にｉを１だけ歩進することにより、ｗ＝ｎ×ｊ（ｍｏｄ  ｍ）を求めるようにしたので、各ｉにおけるｗ＝ｎ×ｊ（ｍｏｄ  ｍ）を極めて容易に求めることができる。
【００４１】
更に本発明では、次の画データａ｛ｉ＋１｝が存在しない場合に、ａ｛ｉ｝＝ｂ｛ｊ｝として画データｂ｛ｊ｝を求のるようにしたので、次の元の画データがない場合においても、新たな画データを最後まで求めることができる。
【図面の簡単な説明】
【図１】本発明の画像変倍方法を適用した画像形成装置の構成を示すブロック図である。
【図２】本発明による画像変倍方法の動作手順の一例を示すフローチャートである。
【図３】本発明の具体例における元の画データａ｛ｉ｝と変倍後の新たな画データｂ｛ｉ｝との関係を示す図である。
【図４】本発明の具体例の最後の部分における元の画データａ｛ｉ｝と変倍後の新たな画データｂ｛ｉ｝との関係を示す図である。
【図５】本発明による画像変倍方法の動作手順の他の例を示すフローチャートである。
【図６】本発明による画像変倍方法の動作手順の他の例を示すフローチャートである。
【符号の説明】
１  主制御部
２  読取部
３  画像メモリ
４  記録部
５  操作部
５ａ  変倍率キー
６  ＲＯＭ
７  ＲＡＭ
【図１】
0003603729.tif 000003
【図２】
0003603729.tif 000004
【図３】
0003603729.tif 000005
【図４】
0003603729.tif 000006
【図５】
0003603729.tif 000007
【図６】
0003603729.tif 000008